(57)【要約】【課題】  本発明の課題は、デジタル画像撮影装置の薄型化を図ることのできる撮像素子取付構造を提供する。【解決手段】  この撮像素子取付構造は、撮像素子と、前記撮像素子に対して一体的に固定された基板と、前記撮像素子の光軸方向における前方側に配置され、前記撮像素子及び前記基板が固定された固定板と、前記撮像素子の周囲を囲って、前記基板と前記固定板との間に介在する介在部と、前記介在部及び前記撮像素子の間に充填されて、前記介在部、前記固定板及び前記基板を固定する接着層とを備える。【選択図】図１
2011030068.tif 000002
【特許請求の範囲】
【請求項１】
撮像素子と、
前記撮像素子に対して一体的に固定された基板と、
前記撮像素子の光軸方向における前方側に配置され、前記撮像素子及び前記基板が固定された固定板と、
前記撮像素子の周囲を囲って、前記基板と前記固定板との間に介在する介在部と、
前記介在部及び前記撮像素子の間に充填されて、前記介在部、前記固定板及び前記基板を固定する接着層とを備えることを特徴とする撮像素子取付構造。
【請求項２】
請求項１記載の撮像素子取付構造において、
前記接着層は、光硬化型の接着剤により形成されていることを特徴とする撮像素子取付構造。
【請求項３】
請求項１又は２記載の撮像素子取付構造において、
前記撮像素子の光軸方向における前方側に配置され、前記撮像素子の撮像面を覆うフィルターと、
前記フィルターを支持するフィルター支持部材とを備え、
前記フィルター支持部材は、前記接着層を介して、前記固定板に固定されていることを特徴とする撮像素子取付構造。
【発明の詳細な説明】
【技術分野】
【０００１】
本発明は、撮像素子取付構造に関する。
【背景技術】
【０００２】
従来、デジタルカメラやデジタルビデオカメラ等のデジタル画像撮影装置においては、例えばＣＣＤ等の撮像素子が搭載されていて、この撮像素子により光学像を光電変換するようになっている。撮像素子は、円板状の固定板を介してレンズ鏡筒の後端部に取り付けられている。ところで、製造時においては、撮像レンズの光軸に対して撮像素子の撮影面の中心を合わせ、かつレンズ光軸に対して撮影面が垂直になるように、撮像レンズと撮像素子とを位置合わせする必要がある。しかし、撮像素子やレンズ鏡筒、固定板等の各部品の寸法バラツキにより、単に各部品を組み立てただけでは位置合わせが正確に行われないのが実状である。このため、近年においては、撮像素子を固定板に組み付けた後であっても、ネジやバネ等によって撮像素子の位置調整を行うことのできる撮像素子取付構造が開発されている（例えば特許文献１参照）。
【０００３】
この撮像素子取付構造について図３，４に基づいて説明する。図３，４に示すように、従来の撮像素子取付構造１００には、円板状の固定板１０１と、オプティカルＬＰＦ１０２と、フィルターゴム１０３と、撮像素子１０４と、基板１０５と、位置調整機構１０６とが設けられている。撮像素子１０４は、基板１０５に対して一体的に固定されている。また、撮像素子１０４の撮像面の光軸方向前方には、フィルターゴム１０３で支持されたオプティカルＬＰＦ１０２が配置されている。そして、フィルターゴム１０３は、固定板１０１に形成された凹部１０７に嵌合しており、これによりオプティカルＬＰＦ１０２が固定板１０１に固定されている。また、撮像素子１０４及び基板１０５は、位置調整機構１０６によって固定板１０１に取り付けられている。位置調整機構１０６には、基板１０５を固定板１０１から離れる方向に向けて付勢するバネ１０８と、バネ１０８により付勢された基板１０５の離脱を規制する規制ネジ１０９とが設けられている。規制ネジ１０９は、基板１０５を貫通して、その先端部１１０が固定板１０１に螺合している。また、規制ネジ１０９のネジ頭１１１は、基板１０５の抜けを防止している。つまり、規制ネジ１０９のねじ込み量を調整することで、固定板１０１と基板１０５との間隔及び傾きを調整することができ、ひいては撮像素子１０４の位置調整が可能となっている。
【先行技術文献】
【特許文献】
【０００４】
【特許文献１】特開２００３−１３４３８３号公報
【発明の概要】
【発明が解決しようとする課題】
【０００５】
ここで、近年においてはその他の電子機器と同様にデジタル画像撮影装置の薄型化が望まれている。
本発明の課題は、デジタル画像撮影装置の薄型化を図ることのできる撮像素子取付構造を提供することである。
【課題を解決するための手段】
【０００６】
請求項１記載の発明に係る撮像素子取付構造は、
撮像素子と、
前記撮像素子に対して一体的に固定された基板と、
前記撮像素子の光軸方向における前方側に配置され、前記撮像素子及び前記基板が固定された固定板と、
前記撮像素子の周囲を囲って、前記基板と前記固定板との間に介在する介在部と、
前記介在部及び前記撮像素子の間に充填されて、前記介在部、前記固定板及び前記基板を固定する接着層とを備えることを特徴としている。
【０００７】
請求項２記載の発明は、請求項１記載の撮像素子取付構造において、
前記接着層は、光硬化型の接着剤により形成されていることを特徴としている。
【０００８】
請求項３記載の発明は、請求項１又は２記載の撮像素子取付構造において、
前記撮像素子の光軸方向における前方側に配置され、前記撮像素子の撮像面を覆うフィルターと、
前記フィルターを支持するフィルター支持部材とを備え、
前記フィルター支持部材は、前記接着層を介して前記固定板に固定されていることを特徴としている。
【発明の効果】
【０００９】
請求項１記載の発明によれば、接着層が、介在部及び撮像素子の間に充填されて、介在部、固定板及び基板を固定するので、接着層をなす接着剤の注入前や、接着層が硬化するまでは、固定板に対する撮像素子の位置調整が可能となる。調整後、接着層が硬化すると、介在部、固定板及び基板が固定される。つまり、従来のようにネジやバネを用いた位置調整機構を設けなくとも、組み付け後に撮像素子の位置調整が可能であるために、撮像素子取付構造自体の薄型化を図ることができる。したがって、この撮像素子取付構造を適用したデジタル画像撮影装置においても薄型化が可能となる。
また、撮像素子の周囲においては介在部が配置されているので、接着層をなす接着剤を介在部と撮像素子との間に充填したとしても、介在部が壁となって未硬化の接着剤が垂れてしまうことを防止することができる。
【００１０】
請求項２記載の発明によれば、接着層が光硬化型の接着剤から形成されているので、熱硬化式や乾式などの接着剤と比べて、短時間で硬化させることができる。これにより位置調整作業を容易にすることが可能となる。
【００１１】
請求項３記載の発明によれば、フィルター支持部材が、接着層を介して固定板に固定されているので、フィルター支持部材と固定板とをより強固に固定することができる。
【図面の簡単な説明】
【００１２】
【図１】本実施形態に係る撮像素子取付構造の概略構成を示す分解斜視図である。
【図２】図１の撮像素子取付構造の概略構成を示す説明図であり、（ａ）は上面図、（ｂ）は（ａ）におけるＩＩｂ−ＩＩｂ切断線から見た断面図、（ｃ）は（ａ）におけるＩＩｃ−ＩＩｃ切断線から見た断面図である。
【図３】従来の撮像素子取付構造の概略構成を示す分解斜視図である。
【図４】図３の撮像素子取付構造の概略構成を示す説明図であり、（ａ）は上面図、（ｂ）は（ａ）におけるＩＶｂ−ＩＶｂ切断線から見た断面図、（ｃ）は（ａ）におけるＩＶｃ−ＩＶｃ切断線から見た断面図である。
【発明を実施するための形態】
【００１３】
本実施形態に係る撮像素子取付構造について、図１，２に基づいて説明する。図１は、本実施形態に係る撮像素子取付構造の概略構成を示す分解斜視図である。図２は、撮像素子取付構造の概略構成を示す説明図であり、（ａ）は上面図、（ｂ）は（ａ）におけるＩＩｂ−ＩＩｂ切断線から見た断面図、（ｃ）は（ａ）におけるＩＩｃ−ＩＩｃ切断線から見た断面図である。
【００１４】
図１，２に示すように、撮像素子取付構造１０には、円板状の固定板１と、オプティカルＬＰＦ２と、フィルターゴム３と、撮像素子４と、基板５と、介在部６と、接着層７とが設けられている。
【００１５】
固定板１は、図示しないレンズ鏡筒の後端に固定されるものであり、その略中央にオプティカルＬＰＦ２、フィルターゴム３、撮像素子４及び接着層７が収容される収容開口部１１が形成されている。また、固定板１裏面における収容開口部１１周辺には、介在部６の先端部が係合する凹部１２が形成されている。一方、固定板１表面における収容開口部１１の周辺には、接着層７をなす接着剤が注入される注入口１３が複数形成されている。注入口１３と凹部１２とは連通していて、注入口１３から注入された接着剤は凹部１２内の介在部６まで達するようになっている。
【００１６】
オプティカルＬＰＦ２は、本発明に係るフィルターであり、例えば矩形板状に形成された光学ローパスフィルタである。オプティカルＬＰＦ２は、撮像素子４の光軸方向における前方側に配置され、撮像素子４の撮像面を覆っている。
【００１７】
フィルターゴム３は、本発明に係るフィルター支持部材であり、例えばゴム等の弾性体により形成されている。このフィルターゴム３は、オプティカルＬＰＦ２の全周を囲うように略矩形枠状に形成されていて、その内周縁部でオプティカルＬＰＦ２を支持している。
【００１８】
撮像素子４は、例えばフレキシブル基板からなる基板５上に半田付けにより一体的に固定されている。撮像素子４は、例えばＣＣＤ等の撮像素子であり、その内部に撮像面を有し、この撮像面上に結像した光学像を光電変換して生成信号を出力するものである。
【００１９】
介在部６は、例えばゴム等の弾性体により略矩形枠状に形成されている。介在部６は、撮像素子４を囲うように基板５上に固定されていて、その先端部が固定板１の凹部１２に係合している。これにより、介在部６は、基板５と固定板１との間に介在している。
【００２０】
接着層７は、例えば紫外線硬化型接着剤等の光硬化型の接着剤により形成されている。接着層７は、フィルターゴム３、介在部６、固定板１及び基板５を固定するように、介在部６及び撮像素子４の間に充填されている。
【００２１】
次に、撮像素子取付構造１０の組立方法について説明する。
まず、撮像素子４やその他の回路部品が半田付けされた基板５を準備する。そして、撮像素子４を囲むように介在部６を基板５上に設置する。その後、撮像素子４の光軸方向前方にフィルターゴム３及びオプティカルＬＰＦ２を介して固定板１を設置する。ここで、固定板１の前面を基準面として、周知のセンサーエリアの調整方法を用いて、撮像素子４のセンサーエリアのシフト調整（Ｘ−Ｙ調整）、センサー表面の高さ調整（Ｚ調整）、センサーエリアのチルト調整（θ調整）及びセンサーエリアのロール調整（ψ調整）を行う。調整後、紫外線硬化型接着剤を注入口１３から注入して、当該接着剤がフィルターゴム３、介在部６、固定板１及び基板５に接触するまで当該接着剤を介在部６及び撮像素子４の間に充填する。充填後、紫外線硬化型接着剤に対して紫外線を照射して当該接着剤を硬化させることで接着層７を形成する。これにより、撮像素子取付構造１０が完成する。
【００２２】
以上のように、本実施形態の撮像素子取付構造１０によれば、接着層７が、介在部６及び撮像素子の間に充填されて、フィルターゴム３、介在部６、固定板１及び基板５を固定するので、接着層７をなす接着剤の注入前は、固定板１に対する撮像素子４の位置調整が可能となる。調整後、接着層７が硬化すると、フィルターゴム３、介在部６、固定板１及び基板５が固定される。つまり、従来のようにネジやバネを用いた位置調整機構を設けなくとも、組み付け後に撮像素子４の位置調整が可能であるために、撮像素子取付構造１０自体の薄型化を図ることができる。したがって、この撮像素子取付構造１０を適用したデジタル画像撮影装置においても薄型化が可能となる。
また、撮像素子４の周囲においては介在部６が配置されているので、接着層７をなす接着剤を介在部６と撮像素子４との間に充填したとしても、介在部６が壁となって未硬化の接着剤が垂れてしまうことを防止することができる。
【００２３】
また、接着層７が光硬化型の接着剤から形成されているので、熱硬化式や乾式などの接着剤と比べて、短時間で硬化させることができる。これにより位置調整作業を容易にすることが可能となる。
【００２４】
なお、本発明は上記実施形態に限らず適宜変更可能であるのは勿論である。
例えば、本実施形態では、紫外線硬化型接着剤の注入前に、センサーエリアの調整を行っている場合を例示して説明したが、注入後、位置ズレが生じた場合には紫外線照射前、つまり接着剤の硬化前に再度位置調整を行うことも可能である。もちろん、接着剤の注入後であって、硬化する前にのみ位置調整を行うことも可能である。
【符号の説明】
【００２５】
１      固定板
２      オプティカルＬＰＦ（フィルター）
３      フィルターゴム（フィルター支持部材）
４      撮像素子
５      基板
６      介在部
７      接着層
１０      撮像素子取付構造
１１      収容開口部
１２      凹部
１３      注入口
【図１】
2011030068.tif 000003
【図２】
2011030068.tif 000004
【図３】
2011030068.tif 000005
【図４】
2011030068.tif 000006